(57)【要約】  【課題】  受信周波数を表示することなしに、地域に応じて、所望の音楽を放送している放送局を容易に選局することができる放送受信装置、受信周波数設定システム及び放送受信システムを提供することにある。  【解決手段】  各地域で各音楽ジャンルの音楽を放送している放送局に対応する複数の周波数を指定する周波数リスト情報を情報記憶装置３で記憶し、転送装置２は、情報記憶装置３から周波数リスト情報を受信し、使用者がラジオ放送を視聴する地域に関連付けられた周波数リスト情報を放送受信装置１へ転送する。放送受信装置１は、各音楽ジャンルに対応したスイッチを備え、各音楽ジャンルについての周波数リスト情報を記憶し、使用者がいずれかのスイッチを操作した場合に、操作されたスイッチに対応する音楽ジャンルについて記憶している周波数リスト情報が指定する周波数でラジオ放送信号を受信する。【選択図】        図１
2006295402.tif 000002
【特許請求の範囲】
【請求項１】
放送信号を受信する放送受信手段と、該放送受信手段が受信する放送信号の周波数を調整する周波数調整手段とを備える放送受信装置において、
複数のスイッチと、
夫々に複数の周波数を指定する複数の周波数リスト情報の夫々を、複数の前記スイッチのいずれかに対応させて記憶する記憶手段とを備え、
前記周波数調整手段は、
一の前記スイッチが操作された場合に、当該スイッチに対応させて前記記憶手段が記憶している周波数リスト情報が指定するいずれかの周波数に、前記放送受信手段が受信する放送信号の周波数を設定する手段を有すること
を特徴とする放送受信装置。
【請求項２】
ラジオ放送信号を受信する放送受信手段と、該放送受信手段が受信するラジオ放送信号の周波数を調整する周波数調整手段とを備える放送受信装置において、
夫々が複数の音楽ジャンルのいずれかに対応した複数のスイッチと、
各音楽ジャンルの音楽を放送する放送局に対応する一又は複数の周波数を指定する周波数リスト情報を、前記複数の音楽ジャンルの夫々について記憶する記憶手段とを備え、
前記周波数調整手段は、
一の前記スイッチが操作された場合に、当該スイッチに対応する音楽ジャンルについて前記記憶手段が記憶している周波数リスト情報が指定するいずれかの周波数に、前記放送受信手段が受信するラジオ放送信号の周波数を設定する手段を有すること
を特徴とする放送受信装置。
【請求項３】
前記記憶手段が記憶する複数の周波数リスト情報を外部から受信する手段を更に備えることを特徴とする請求項１又は２に記載の放送受信装置。
【請求項４】
放送信号を受信する放送受信手段、及び該放送受信手段が受信する放送信号の周波数を調整する周波数調整手段を備える放送受信装置と、放送信号の周波数を指定する情報を記憶する情報記憶装置と、放送信号の周波数を指定する情報を前記放送受信装置へ転送する転送装置とを含む受信周波数設定システムであって、
前記情報記憶装置は、
複数の地域の夫々に関連づけて、夫々に一又は複数の周波数を指定する複数の周波数リスト情報を記憶する手段と、
該手段が所定の地域に関連付けて記憶している複数の周波数リスト情報を前記転送装置へ送信する手段とを備え、
前記転送装置は、
前記情報記憶装置から受信した複数の周波数リスト情報を、前記放送受信装置へ転送する手段を備え、
前記放送受信装置は、
複数のスイッチと、
前記転送装置から転送された複数の周波数リスト情報の夫々を、複数の前記スイッチのいずれかに対応させて記憶する記憶手段とを備え、
前記周波数調整手段は、
一の前記スイッチが操作された場合に、当該スイッチに対応させて前記記憶手段が記憶している周波数リスト情報が指定するいずれかの周波数に、前記放送受信手段が受信する放送信号の周波数を設定する手段を有すること
を特徴とする受信周波数設定システム。
【請求項５】
放送信号を受信する放送受信手段、及び該放送受信手段が受信する放送信号の周波数を調整する周波数調整手段を備える放送受信装置と、放送信号の周波数を指定する情報を前記放送受信装置へ転送する転送装置とを含む放送受信システムであって、
前記転送装置は、
所定の地域に関連付けられた、夫々に一又は複数の周波数を指定する複数の周波数リスト情報を外部から受信する手段と、
該手段が受信した複数の周波数リスト情報を前記放送受信装置へ転送する手段とを備え、
前記放送受信装置は、
複数のスイッチと、
前記転送装置から転送された複数の周波数リスト情報の夫々を、複数の前記スイッチのいずれかに対応させて記憶する記憶手段とを備え、
前記周波数調整手段は、
一の前記スイッチが操作された場合に、当該スイッチに対応させて前記記憶手段が記憶している周波数リスト情報が指定するいずれかの周波数に、前記放送受信手段が受信する放送信号の周波数を設定する手段を有すること
を特徴とする放送受信システム。
【請求項６】
ラジオ放送信号を受信する放送受信手段、及び該放送受信手段が受信するラジオ放送信号の周波数を調整する周波数調整手段を備える放送受信装置と、ラジオ放送信号の周波数を指定する情報を前記放送受信装置へ転送する転送装置とを含む放送受信システムであって、
前記転送装置は、
所定の地域で所定の音楽ジャンルの音楽を放送する放送局に対応する一又は複数の周波数を指定する周波数リスト情報を、複数の音楽ジャンルの夫々について外部から受信する手段と、
該手段が複数の音楽ジャンルの夫々について受信した前記周波数リスト情報を前記放送受信装置へ転送する手段とを備え、
前記放送受信装置は、
夫々が前記複数の音楽ジャンルのいずれかに対応した複数のスイッチと、
前記転送装置から転送された前記周波数リスト情報を、前記複数の音楽ジャンルの夫々について記憶する記憶手段とを備え、
前記周波数調整手段は、
一の前記スイッチが操作された場合に、当該スイッチに対応する音楽ジャンルについて前記記憶手段が記憶している周波数リスト情報が指定するいずれかの周波数に、前記放送受信手段が受信するラジオ放送信号の周波数を設定する手段を有すること
を特徴とする放送受信システム。
【発明の詳細な説明】
【技術分野】
【０００１】
本発明は、簡易な操作で所望の放送局を選局することができる放送受信装置、受信周波数設定システム及び放送受信システムに関する。
【背景技術】
【０００２】
従来、ラジオ放送を受信する携帯型の放送受信装置が普及している。放送受信装置で所望の放送局を選局する方法としては、ユーザが手動で受信周波数を調整する方法が通常である。また複数の放送局の夫々に対応する複数の受信周波数の値をプリセットして放送受信装置が記憶しておき、プリセットされた受信周波数の中から所望の放送局に対応する受信周波数を選択することによって選局を行う方法も利用されている。
【特許文献１】特開２００４−１８６９６２号公報
【発明の開示】
【発明が解決しようとする課題】
【０００３】
ラジオ放送の放送局には、限られた地域内でのみラジオ放送の視聴が可能な小規模な放送局も多く、地域によってラジオ放送を受信可能な放送局の数及び受信周波数の値が大きく異なる。従って、地域で異なる複数の放送局の中から所望の放送局を手動で選局することはユーザにとって煩雑であり、放送受信装置で選局を容易にする技術が求められている。また受信周波数の値をプリセットしておく方法においても、プリセットしておく複数の受信周波数の値を地域に応じて容易に変更する技術が必要である。またこれらの方法では、ユーザが操作する操作部及び現在の受信周波数を表示するディスプレイ等の表示部が放送受信装置に必要となり、携帯型の放送受信装置を小型軽量化させにくいという問題がある。
【０００４】
ところで、放送受信装置のユーザがラジオ放送を視聴する目的は、音楽を視聴することであることが多い。特にＦＭラジオ放送では、音楽を専門に放送していることに加え、ジャズ、クラシック又はポップス等のジャンルを限定した音楽を放送している放送局も多く、使用者がその時々の気分や状況に応じた所望のジャンルの音楽を放送している放送局を容易に選局したいという要望がある。
【０００５】
本発明は、斯かる事情に鑑みてなされたものであって、その目的とするところは、受信周波数を表示することなしに、所望の音楽を放送している放送局を容易に選局することができる放送受信装置、受信周波数設定システム及び放送受信システムを提供することにある。
【０００６】
また本発明の他の目的とするところは、地域に応じた放送局を容易に選局することができる放送受信装置、受信周波数設定システム及び放送受信システムを提供することにある。
【課題を解決するための手段】
【０００７】
本発明に係る放送受信装置は、放送信号を受信する放送受信手段と、該放送受信手段が受信する放送信号の周波数を調整する周波数調整手段とを備える放送受信装置において、複数のスイッチと、夫々に複数の周波数を指定する複数の周波数リスト情報の夫々を、複数の前記スイッチのいずれかに対応させて記憶する記憶手段とを備え、前記周波数調整手段は、一の前記スイッチが操作された場合に、当該スイッチに対応させて前記記憶手段が記憶している周波数リスト情報が指定するいずれかの周波数に、前記放送受信手段が受信する放送信号の周波数を設定する手段を有することを特徴とする。
【０００８】
本発明においては、放送信号を受信する放送受信装置は、複数のスイッチを備え、夫々に受信可能な放送信号の複数の周波数を指定する複数の周波数リスト情報の夫々をいずれかのスイッチに対応させて記憶しておき、使用者がいずれかのスイッチを操作した場合に、操作されたスイッチに対応する周波数リスト情報が指定する周波数で放送信号を受信する。
【０００９】
本発明に係る放送受信装置は、ラジオ放送信号を受信する放送受信手段と、該放送受信手段が受信するラジオ放送信号の周波数を調整する周波数調整手段とを備える放送受信装置において、夫々が複数の音楽ジャンルのいずれかに対応した複数のスイッチと、各音楽ジャンルの音楽を放送する放送局に対応する一又は複数の周波数を指定する周波数リスト情報を、前記複数の音楽ジャンルの夫々について記憶する記憶手段とを備え、前記周波数調整手段は、一の前記スイッチが操作された場合に、当該スイッチに対応する音楽ジャンルについて前記記憶手段が記憶している周波数リスト情報が指定するいずれかの周波数に、前記放送受信手段が受信するラジオ放送信号の周波数を設定する手段を有することを特徴とする。
【００１０】
本発明においては、ラジオ放送信号を受信する放送受信装置は、複数の音楽ジャンルの夫々に対応したスイッチを備え、各音楽ジャンルの音楽を放送している放送局に対応する周波数を指定する周波数リスト情報を各音楽ジャンルについて記憶しておき、使用者がいずれかのスイッチを操作した場合に、操作されたスイッチに対応する音楽ジャンルについて記憶している周波数リスト情報が指定する周波数でラジオ放送信号を受信することにより、使用者が視聴を望む音楽ジャンルの音楽を放送している放送局を選曲する。
【００１１】
本発明に係る放送受信装置は、前記記憶手段が記憶する複数の周波数リスト情報を外部から受信する手段を更に備えることを特徴とする。
【００１２】
本発明に係る受信周波数設定システムは、放送信号を受信する放送受信手段、及び該放送受信手段が受信する放送信号の周波数を調整する周波数調整手段を備える放送受信装置と、放送信号の周波数を指定する情報を記憶する情報記憶装置と、放送信号の周波数を指定する情報を前記放送受信装置へ転送する転送装置とを含む受信周波数設定システムであって、前記情報記憶装置は、複数の地域の夫々に関連づけて、夫々に一又は複数の周波数を指定する複数の周波数リスト情報を記憶する手段と、該手段が所定の地域に関連付けて記憶している複数の周波数リスト情報を前記転送装置へ送信する手段とを備え、前記転送装置は、前記情報記憶装置から受信した複数の周波数リスト情報を、前記放送受信装置へ転送する手段を備え、前記放送受信装置は、複数のスイッチと、前記転送装置から転送された複数の周波数リスト情報の夫々を、複数の前記スイッチのいずれかに対応させて記憶する記憶手段とを備え、前記周波数調整手段は、一の前記スイッチが操作された場合に、当該スイッチに対応させて前記記憶手段が記憶している周波数リスト情報が指定するいずれかの周波数に、前記放送受信手段が受信する放送信号の周波数を設定する手段を有することを特徴とする。
【００１３】
本発明に係る放送受信システムは、放送信号を受信する放送受信手段、及び該放送受信手段が受信する放送信号の周波数を調整する周波数調整手段を備える放送受信装置と、放送信号の周波数を指定する情報を前記放送受信装置へ転送する転送装置とを含む放送受信システムであって、前記転送装置は、所定の地域に関連付けられた、夫々に一又は複数の周波数を指定する複数の周波数リスト情報を外部から受信する手段と、該手段が受信した複数の周波数リスト情報を前記放送受信装置へ転送する手段とを備え、前記放送受信装置は、複数のスイッチと、前記転送装置から転送された複数の周波数リスト情報の夫々を、複数の前記スイッチのいずれかに対応させて記憶する記憶手段とを備え、前記周波数調整手段は、一の前記スイッチが操作された場合に、当該スイッチに対応させて前記記憶手段が記憶している周波数リスト情報が指定するいずれかの周波数に、前記放送受信手段が受信する放送信号の周波数を設定する手段を有することを特徴とする。
【００１４】
本発明においては、各地域で放送を行っている放送局に対応する複数の周波数を指定する周波数リスト情報を情報記憶装置で記憶しておき、転送装置は、情報記憶装置から周波数リスト情報を受信し、所定の地域に関連付けられた複数の周波数リスト情報を放送受信装置へ転送する。放送受信装置は、複数のスイッチを備え、スイッチと周波数リスト情報とを対応させておき、使用者がいずれかのスイッチを操作した場合に、操作されたスイッチに対応する周波数リスト情報が指定する周波数で放送信号を受信する。
【００１５】
本発明に係る放送受信システムは、ラジオ放送信号を受信する放送受信手段、及び該放送受信手段が受信するラジオ放送信号の周波数を調整する周波数調整手段を備える放送受信装置と、ラジオ放送信号の周波数を指定する情報を前記放送受信装置へ転送する転送装置とを含む放送受信システムであって、前記転送装置は、所定の地域で所定の音楽ジャンルの音楽を放送する放送局に対応する一又は複数の周波数を指定する周波数リスト情報を、複数の音楽ジャンルの夫々について外部から受信する手段と、該手段が複数の音楽ジャンルの夫々について受信した前記周波数リスト情報を前記放送受信装置へ転送する手段とを備え、前記放送受信装置は、夫々が前記複数の音楽ジャンルのいずれかに対応した複数のスイッチと、前記転送装置から転送された前記周波数リスト情報を、前記複数の音楽ジャンルの夫々について記憶する記憶手段とを備え、前記周波数調整手段は、一の前記スイッチが操作された場合に、当該スイッチに対応する音楽ジャンルについて前記記憶手段が記憶している周波数リスト情報が指定するいずれかの周波数に、前記放送受信手段が受信するラジオ放送信号の周波数を設定する手段を有することを特徴とする。
【００１６】
本発明においては、各地域で各音楽ジャンルの音楽を放送している放送局に対応する複数の周波数を指定する周波数リスト情報をサーバ装置である情報記憶装置で記憶しておき、パーソナルコンピュータ等の転送装置は、情報記憶装置から周波数リスト情報を受信し、使用者がラジオ放送を視聴する地域に関連付けられた各音楽ジャンルについての周波数リスト情報を放送受信装置へ転送する。放送受信装置は、複数の音楽ジャンルの夫々に対応したスイッチを備え、転送された各音楽ジャンルについての周波数リスト情報を記憶し、使用者がいずれかのスイッチを操作した場合に、操作されたスイッチに対応する音楽ジャンルについて記憶している周波数リスト情報が指定する周波数でラジオ放送信号を受信する。これによって、視聴者は所望の音楽ジャンルの音楽を放送している放送局を選曲することができる。
【発明の効果】
【００１７】
本発明にあっては、ディスプレイ等の表示部を用いることなく、使用者がいずれかのスイッチを操作することによって放送受信装置で選局を行うことができる。放送受信装置が表示部を備える必要がないので、放送受信装置の小型軽量化、及びコストの低下を実現することができる。また表示部としてディスプレイを備えた従来の放送受信装置に比べて、本発明の放送受信装置は、ディスプレイを駆動するための電力が削減されるので、電力容量を下げたより小型又は低コストな電池を利用することによって更なる小型軽量化又はコストの低下を実現することもできる。またディスプレイを駆動するための電力が削減されることによって、放送受信装置の動作時間を従来よりも長時間にすることもできる。
【００１８】
また本発明にあっては、放送受信装置が備えるいずれかのスイッチを使用者が操作することによって、使用者が視聴を望む音楽ジャンルの音楽を放送している放送局を容易な操作で選局することが可能となる。選局のための操作が容易であるので、電子機器の操作に不慣れな使用者でも操作にストレスを覚えることなく放送受信装置を使用することができる。
【００１９】
更に本発明にあっては、複数の地域の夫々に関連づけて、各音楽ジャンルについての周波数リスト情報を情報記憶装置で記憶しておき、放送受信装置を用いて使用者がラジオ放送を視聴する地域で各音楽ジャンルの音楽を放送している放送局に対応する周波数を指定する周波数リスト情報を情報記憶装置から転送装置を経由して放送受信装置へ転送することによって、使用者がラジオ放送を視聴する地域に応じて、所望の音楽を放送している放送局を容易に選局することが可能となる等、本発明は優れた効果を奏する。
【発明を実施するための最良の形態】
【００２０】
以下本発明をその実施の形態を示す図面に基づき具体的に説明する。
図１は、本発明の受信周波数設定システムの概要を示す概念図である。受信周波数設定システムは、ラジオ放送信号を受信して音声を発生するラジオ受信機である放送受信装置１と、パーソナルコンピュータ（ＰＣ）等の情報処理装置である本発明に係る転送装置２と、サーバ装置である本発明の情報記憶装置３とからなっている。転送装置２及び情報記憶装置３は、共にインターネット等の通信ネットワークＮに接続されており、通信ネットワークＮを介して互いに情報を送受信することが可能な構成となっている。放送受信装置１及び転送装置２は、本発明の放送受信システムをなし、無線又は有線で転送装置２から放送受信装置１へ情報を転送することが可能な構成となっており、家庭内等で使用者が自由に使用できる。情報記憶装置３は、各地域でのラジオ放送信号の周波数を示す周波数リスト情報を記憶しており、転送装置２は、周波数リスト情報を情報記憶装置３からダウンロードし、ラジオ放送を視聴する地域に係る周波数リスト情報を放送受信装置１へ転送し、放送受信装置１は、転送された周波数リスト情報に従って受信周波数を設定してラジオ放送信号を受信する。
【００２１】
図２は、本発明の放送受信装置１及び転送装置２の内部構成を示すブロック図である。放送受信装置１は、演算を行うプロセッサ、制御プログラムを記憶するＲＯＭ、及びＲＡＭ等からなる制御部１１を備え、制御部１１は放送受信装置１全体の動作を制御する構成となっている。制御部１１には、半導体メモリ等でなる記憶部（記憶手段）１２が接続されており、記憶部１２は、転送装置２から転送される周波数リスト情報を記憶する構成となっている。
【００２２】
また制御部１１には、ラジオ放送信号を受信するチューナ部（放送受信手段）１４と、チューナ部１４が受信したラジオ放送信号を復調して音声として出力する出力部１５とが接続されている。出力部１５にはヘッドフォン１６が接続可能であり、ヘッドフォン１６を用いてラジオ放送が視聴される。制御部１１は、必要に応じて、チューナ部１４が受信するラジオ放送信号の周波数を調整する処理を行い、本発明に係る周波数調整手段として機能する。なおチューナ部１４はヘッドフォン１６をアンテナとして利用する構成であってもよい。また制御部１１には、使用者の操作によってラジオ放送信号の受信開始の指示等の各種の指示が入力される操作部１３が接続されている。更に制御部１１には、放送受信装置１外の機器との間で情報を送受信するインタフェース部１７が接続されている。放送受信装置１は、図示しない電池を備え、電池から電力を供給されて各部分が駆動している。
【００２３】
本発明に係る転送装置２は、演算を行うＣＰＵ２１と、演算に伴って発生する一時的な情報を記憶するＲＡＭ２２と、ハードディスク等の記憶部２４とを備えている。記憶部２４は、コンピュータプログラムを記憶しており、コンピュータプログラムは、必要に応じて記憶部２４からＲＡＭ２２にロードされ、ロードされたコンピュータプログラムに基づいてＣＰＵ２１は転送装置２に必要な処理を実行する。
【００２４】
また転送装置２は、使用者が操作することによる各種の処理指示等の情報が入力されるキーボード又はポインティングデバイス等の入力部２５と、各種の情報を表示する液晶ディスプレイ等の表示部２６とを備えている。更に転送装置２は、転送装置２外の機器との間でデータを送受信するインタフェース部２７と、外部の通信ネットワークＮに接続された通信部２８とを備えている。放送受信装置１のインタフェース部１７と転送装置２のインタフェース部２７とは互いにケーブルで接続可能な構成となっており、ケーブル及び互いのインタフェース部を介して、転送装置２から放送受信装置１へ情報を転送可能な構成となっている。なお、放送受信装置１と転送装置２との間では、有線ではなく無線通信で情報を転送可能な構成であってもよい。
【００２５】
図３は、放送受信装置１の外観の例を示す模式図である。放送受信装置１はディスプレイ等の表示部を備えておらず、全面が操作部１３となっている。操作部１３は、停止ボタン５１、周波数スキップボタン５２、及び音量ボタン５３を備えており、各ボタンを使用者が操作することにより、受信停止等の指示が入力される。また操作部１３は、使用者による押下の操作が可能である押下ボタン（スイッチ）４１，４２，４３，４４，４５を備えている。押下ボタン４１，４２，４３，４４，４５は、夫々ロック，オールディーズ，ジャズ，クラシック，ポップスの音楽ジャンルに対応しており、各押下ボタンには、夫々に対応する音楽ジャンルが付記されている。なお、本発明に係るスイッチとして押下ボタンではなく、接触スイッチ又はスライド式のスイッチ等のその他のスイッチであってもよい。
【００２６】
図４は、放送受信装置１の記憶部１２が記憶しているデータの内容例を示す概念図である。記憶部１２は、所定の地域を示す情報と、その地域で各音楽ジャンルの音楽を放送している放送局に対応する周波数を示す情報とを記憶している。図４に示す如く、記憶部１２は、ロック，オールディーズ，ジャズ，クラシック，ポップスの各音楽ジャンルについて、周波数リスト情報ａ１，ａ２，ａ３，ａ４，ａ５を記憶している。各周波数リスト情報は、所定の地域で各音楽ジャンルの音楽を放送している放送局に対応する複数の周波数を指定している。チューナ部１４が受信するラジオ放送信号の周波数を、周波数リスト情報が指定するいずれかの周波数に設定することによって、周波数リスト情報に係る音楽ジャンルの音楽を放送している放送局を選局することができる。制御部１１は、操作部が備える押下ボタン４１，４２，４３，４４，４５のいずれかが押下された場合に、チューナ部１４の受信周波数を、押下された押下ボタンに対応する音楽ジャンルについて記憶部１２が記憶している周波数リスト情報が指定するいずれかの周波数に設定する構成となっている。
【００２７】
図５は、情報記憶装置３が記憶しているデータの内容例を示す概念図である。情報記憶装置３は、複数の地域の夫々に関連付けて、その地域で各音楽ジャンルの音楽を放送している放送局に対応する複数の周波数を指定する周波数リスト情報を各音楽ジャンルについて記憶している。いずれかの地域で放送局の廃合又は新設があった場合は、該当する地域の該当する音楽ジャンルの周波数リスト情報が更新され、現存の放送局に対応する周波数の情報が情報記憶装置３で記憶される。
【００２８】
次に、周波数リスト情報を情報記憶装置３から転送装置２を経由して放送受信装置１へ転送する処理を説明する。図６は、放送受信装置１へ音楽データを転送するために本発明の受信周波数設定システムが行う処理の手順を示すフローチャートである。転送装置２のＣＰＵ２１は、ＲＡＭ２２へロードしたコンピュータプログラムに基づいて以下の処理を実行する。
【００２９】
転送装置２は、入力部２５を使用者が操作することによって周波数リスト情報の転送指示を受け付け、ＣＰＵ２１は、通信部２８に、情報記憶装置３へ周波数リスト情報の要求を通信ネットワークＮを介して送信させる（Ｓ１１）。情報記憶装置３は、通信ネットワークＮを介して周波数リスト情報の要求を受信し（Ｓ１２）、図５に示す如き、複数の地域の夫々に関連付けて各音楽ジャンルについて記憶している周波数リスト情報を転送装置２へ通信ネットワークＮを介して送信する（Ｓ１３）。転送装置２は、情報記憶装置３から送信された複数の周波数リスト情報を通信部２８で受信する（Ｓ１４）。
【００３０】
転送装置２は、次に、受信した周波数リスト情報が関連付けられている複数の地域の夫々を示す情報を表示部２６に表示し、表示された地域の情報を確認した使用者が入力部２５を操作することにより、転送装置２は、使用者が放送受信装置１でラジオ放送を視聴する地域の指定を入力される（Ｓ１５）。ＣＰＵ２１は、受信した周波数リスト情報の内、指定された地域に関連付けられた各音楽ジャンル毎の周波数リスト情報を選択する（Ｓ１６）。転送装置２のインタフェース部２７と放送受信装置１のインタフェース部１７とが接続された状態で、ＣＰＵ２１は、選択した複数の周波数リスト情報をインタフェース部２７に放送受信装置１へ転送させる（Ｓ１７）。放送受信装置１は、転送装置２から転送された複数の周波数リスト情報をインタフェース部１７で受信し（Ｓ１８）、図４に示す如く、ロック，オールディーズ，ジャズ，クラシック，ポップスの各音楽ジャンルについて、受信した周波数リスト情報ａ１，ａ２，ａ３，ａ４，ａ５を記憶部１２で記憶し（Ｓ１９）、処理を終了する。
【００３１】
以上の処理では、複数の地域の夫々に関連付けて情報記憶装置３が記憶している複数の周波数リスト情報を転送装置２が一括して受信し、受信した周波数リスト情報の中から所定の地域に関連付けられた周波数リスト情報を選択して放送受信装置１へ転送する処理を示したが、本発明の受信周波数設定システムが行う処理はこれに限るものではなく、地域を指定する情報を転送装置２から情報記憶装置３へ送信し、指定された地域に関連付けられた周波数リスト情報のみを情報記憶装置３から転送装置２へ送信する処理を行ってもよい。
【００３２】
次に、放送受信装置１がラジオ放送信号を受信する処理を説明する。図７は、放送受信装置１がラジオ放送信号を受信する際に行う処理の手順を示すフローチャートである。放送受信装置１は、使用者によって携帯され、使用者が音楽を聴きたいときに操作される。放送受信装置１の制御部１１は、押下ボタン４１，４２，４３，４４，４５のいずれかを使用者が押下する操作を待ち受けている（Ｓ２１）。押下ボタンが押下されない場合は（Ｓ２１：ＮＯ）、制御部１１は、押下ボタンでの押下の待ち受けを続行する。いずれかの押下ボタンが押下された場合は（Ｓ２１：ＹＥＳ）、制御部１１は、押下ボタン４１，４２，４３，４４，４５の内で使用者に押下された押下ボタンに対応する音楽ジャンルについて記憶部１２で記憶している周波数リスト情報を選択する（Ｓ２２）。制御部１１は、次に、チューナ部１４がラジオ放送信号を受信する受信周波数を、選択した周波数リスト情報が指定する複数の周波数の内の一の周波数に設定する（Ｓ２３）。チューナ部１４は、制御部１１が設定した周波数でラジオ放送信号の受信を開始する（Ｓ２４）。ここで、出力部１５は、チューナ部１４が受信したラジオ放送信号を復調して音声を出力する。
【００３３】
制御部１１は、チューナ部１４がラジオ放送信号を受信している最中に、使用者が周波数スキップボタン５２を押下することによる、周波数スキップの指示の入力を待ち受けている（Ｓ２５）。周波数スキップの指示が入力された場合は（Ｓ２５：ＹＥＳ）、制御部１１は、チューナ部１４がラジオ放送信号を受信する周波数を、選択している周波数リスト情報が指定する複数の周波数の内の他の周波数に設定する（Ｓ２６）。制御部１１は、次に、処理をステップＳ２４へ戻し、チューナ部１４は、設定し直された周波数でラジオ放送信号の受信を開始する。
【００３４】
ステップＳ２５で周波数スキップの指示の入力がない場合は（Ｓ２５：ＮＯ）、制御部１１は、次に、使用者が他の押下ボタンを押下する操作を待ち受ける（Ｓ２７）。使用者により他の押下ボタンが押下された場合は（Ｓ２７：ＹＥＳ）、制御部１１は、処理をステップＳ２２へ戻す。他の押下ボタンが押下されない場合は（Ｓ２７：ＮＯ）、制御部１１は、次に、使用者が停止ボタン５１を押下することによる、ラジオ放送の受信の終了指示の入力を待ち受ける（Ｓ２８）。終了指示の入力がない場合は（Ｓ２８：ＮＯ）、制御部１１は、処理をステップＳ２５へ戻す。終了指示のが入力された場合は（Ｓ２８：ＹＥＳ）、制御部１１は、処理を終了する。
【００３５】
以上の処理により、例えば使用者が押下ボタン４３を押下した場合には、音楽ジャンルとして押下ボタン４３に対応するジャズが選択され、ジャズについて記憶部１２で記憶する周波数リスト情報ａ３により、その地域でジャズを放送している放送局の一つが選局される。従って使用者は、ジャズを聴きたい時には、押下ボタン４３を押下することによって、その地域でジャズを放送している放送局のラジオ放送を視聴することができる。また使用者が周波数スキップボタン５２を押下することにより、その地域で同じ音楽ジャンルの音楽を放送している他の放送局を選局することができる。このようにして本発明では、使用者の気分又は状況に応じた聞きたい音楽ジャンルの音楽を放送している放送局を選局し、ラジオ放送で音楽を試聴することができる。
【００３６】
以上詳述した如く、本発明の放送受信装置１は、使用者がいずれかの押下ボタンを押下することで、受信周波数を表示する表示部を備えることなしに使用者が聞きたい音楽ジャンルの音楽を放送している放送局を容易な操作で選局することが可能となる。ディスプレイ等の表示部を備える必要がないので、放送受信装置１の小型軽量化、及びコストの低下を実現することができる。また表示部として液晶ディスプレイを備えた従来の放送受信装置１に比べて、本発明の放送受信装置１は、ディスプレイを駆動するための電力が削減されるので、電力容量を下げたより小型又は低コストな電池を利用することによって更なる小型軽量化又はコストの低下を実現することもできる。またディスプレイを駆動するための電力が削減されることによって、放送受信装置１の動作時間を従来よりも長時間にすることもできる。更に、本発明の放送受信装置１は、選局のための操作が容易であるので、電子機器の操作に不慣れな使用者でも操作にストレスを覚えることなく使用することができる。
【００３７】
また本発明においては、複数の地域の夫々に関連づけて、各音楽ジャンルについて周波数リスト情報を情報記憶装置３で記憶しておき、放送受信装置１でラジオ放送を視聴する地域で各音楽ジャンルの音楽を放送している放送局に対応する周波数を指定する周波数リスト情報を情報記憶装置３から転送装置２を経由して放送受信装置１へ転送する。これによって、使用者がラジオ放送を視聴する地域に応じて、所望の音楽を放送している放送局を容易に選局することが可能となる。
【００３８】
なお本実施の形態においては、情報記憶装置３から送信される複数の周波数リスト情報を転送装置２が一旦受信し、改めて転送装置２から放送受信装置１へ転送する形態を示したが、本発明はこの形態に限るものではなく、放送受信装置１が通信ネットワークＮを介して情報記憶装置３と通信することができる機能を備え、放送受信装置１が情報記憶装置３から必要な周波数リスト情報を受信する形態であってもよい。例えば、ラジオ放送のチューナを備えた携帯電話を放送受信装置１として実現することができる。この場合は、本発明を実現するためのアプリケーションプログラムを携帯電話で実行して、携帯電話が備えるキーのいずれかを各音楽ジャンルに対応させ、地域に応じた周波数リスト情報を情報記憶装置３からダウンロードし、押下されたキーに対応する周波数リスト情報に従って受信周波数を設定することにより、携帯電話を用いて本発明を実現することができる。この形態においても、通信機能を利用することにより、所望の音楽を放送している放送局を容易に選局することが可能となる。
【００３９】
なお、本実施の形態においては、放送受信装置１は半導体メモリでなる記憶部１２を内部に備えた形態を示しているが、これに限るものではなく、放送受信装置１はメモリカード等の着脱可能な記憶媒体を記憶部１２として利用する形態であってもよい。また本実施の形態で示した音楽ジャンルの数及び種類は一例であり、他の数及び種類に分類された音楽ジャンルを用いてもよい。
【図面の簡単な説明】
【００４０】
【図１】本発明の受信周波数設定システムの概要を示す概念図である。
【図２】本発明の放送受信装置及び転送装置の内部構成を示すブロック図である。
【図３】放送受信装置の外観の例を示す模式図である。
【図４】放送受信装置の記憶部が記憶しているデータの内容例を示す概念図である。
【図５】情報記憶装置が記憶しているデータの内容例を示す概念図である。
【図６】放送受信装置へ音楽データを転送するために本発明の受信周波数設定システムが行う処理の手順を示すフローチャートである。
【図７】放送受信装置がラジオ放送信号を受信する際に行う処理の手順を示すフローチャートである。
【符号の説明】
【００４１】
１  放送受信装置
１１  制御部（周波数調整手段）
１２  記憶部（記憶手段）
１４  チューナ部（放送受信手段）
１７  インタフェース部
２  転送装置
３  情報記憶装置
４１，４２，４３，４４，４５  押下ボタン（スイッチ）
【図１】
2006295402.tif 000003
【図２】
2006295402.tif 000004
【図３】
2006295402.tif 000005
【図４】
2006295402.tif 000006
【図５】
2006295402.tif 000007
【図６】
2006295402.tif 000008
【図７】
2006295402.tif 000009